(57)【特許請求の範囲】
【請求項１】
セルラ無線ネットワークのサービング・セル内のユーザ機器又は中継局へのＭＩＭＯ（multiple-input/multiple-output）送信で用いられる１又は複数のセルを選択する方法であって、
セル選択が行われるべき前記セルラ・ネットワークのＮ個のセルのセットがあり、Ｎは１より大きい整数であり、該セットは前記サービング・セルを含み、
前記サービング・セルの受信信号電力と、前記セット内の他のセルの前記サービング・セルに対する受信干渉電力とは、電力Ｐの降順にP０≧P１≧…≧PN-１のように並べられ、
Ｍ個のセルのグループは、前記Ｎ個のセルのセットから選択され、
前記選択されるセルは、不等式
【数２０】
0005413513.tif 000022
を満たすＭの最小値を与えるセルであり、βは決定閾パラメータである、
ことを特徴とする方法。
【請求項２】
セルラ無線ネットワークのサービング・セル内のユーザ機器又は中継局へのＭＩＭＯ（multiple-input/multiple-output）送信で用いられる１又は複数のセルを選択する方法であって、
送信のために、前記サービング・セルのみを用いるか又は前記セルラ・ネットワークのＮ個のセルのセットからの複数のセルを用いるかに関する決定が行われ、Ｎは１より大きい整数であり、該セットは前記サービング・セルを含み、
前記決定が複数のセルを用いることである場合、
前記サービング・セルの受信信号電力と、前記セット内の他のセルの前記サービング・セルに対する受信干渉電力とは、電力Ｐの降順にP０≧P１≧…≧PN-１のように並べられ、
Ｍ個のセルのグループは、前記Ｎ個のセルのセットから選択され、
前記選択されるセルは、不等式
【数２１】
0005413513.tif 000023
を満たすＭの最小値を与えるセルであり、βは第１の決定閾パラメータである、
ことを特徴とする方法。
【請求項３】
前記送信のために、前記サービング・セルのみを用いるか又は前記セルラ・ネットワークのＮ個のセルのセットからの複数のセルを用いるかに関する決定は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定することにより行われる、
ことを特徴とする請求項２に記載の方法。
【請求項４】
少なくとも部分的に、前記サービング・セル内に置かれたユーザ機器で実行される、
ことを特徴とする請求項１乃至３のいずれか一項に記載の方法。
【請求項５】
前記ユーザ機器は、前記Ｍ個のセルのグループの選択を実行し、サービング基地局に前記選択されたセルを受信電力の降順で知らせる、
ことを特徴とする請求項４に記載の方法。
【請求項６】
前記サービング基地局は前記Ｍ個のセルのグループのうちの一部のみを送信のために用いる、
ことを特徴とする請求項４又は５に記載の方法。
【請求項７】
少なくとも部分的に、前記サービング・セルの基地局で実行される、
ことを特徴とする請求項１乃至３のいずれか一項に記載の方法。
【請求項８】
前記サービング・セル内のユーザ機器は、前記基地局に、Ｎ個のセルの受信電力測定結果をフィードバックし、Ｎは、前記ユーザ機器が該測定結果を有する前記ネットワークのセルの数より少ないか又はそれに等しく、
前記基地局は、Ｍ個のセルのグループの選択を、前記フィードバックされたＮ個のセルの受信電力測定結果を用いて実行する、
ことを特徴とする請求項７に記載の方法。
【請求項９】
セルラ無線ネットワークの通信システムであって、
当該システムは、前記セルラ無線ネットワークのサービング・セル内のユーザ機器又は中継局へのＭＩＭＯ（multiple-input/multiple-output）送信で用いられる１又は複数のセルを選択し、
セル選択が行われるべき前記セルラ・ネットワークのＮ個のセルのセットがあり、Ｎは１より大きい整数であり、該セットは前記サービング・セルを含み、
当該システムは、
前記サービング・セルの受信信号電力の値と、前記セット内の他のセルの前記サービング・セルに対する受信干渉電力の個々の値とを、電力Ｐの降順にP０≧P１≧…≧PN-１のように並べるソーティング手段、
前記並べられた電力を用い、Ｍ個のセルのグループを前記Ｎ個のセルのセットから選択するよう構成された選択手段であって、前記選択されるセルは、不等式
【数２２】
0005413513.tif 000024
を満たすＭの最小値を与えるセルであり、βは決定閾パラメータである、選択手段、
を有するシステム。
【請求項１０】
セルラ無線ネットワークの通信システムであって、
当該システムは、前記セルラ無線ネットワークのサービング・セル内のユーザ機器又は中継局へのＭＩＭＯ（multiple-input/multiple-output）送信で用いられる１又は複数のセルを選択し、
当該システムは、
送信に前記サービング・セルのみを用いるか又は前記セルラ・ネットワークのＮ個のセルのセットからの複数のセルを用いるかを決定するよう構成された決定手段であって、Ｎは１より大きい整数であり、該セットは前記サービング・セルを含む、決定手段、
前記決定が複数のセルを用いることである場合、前記サービング・セルの受信信号電力の値と、前記セット内の他のセルの前記サービング・セルに対する受信干渉電力の個々の値とを、電力Ｐの降順にP０≧P１≧…≧PN-１のように並べるよう構成されたソーティング手段、
前記並べられた電力を用い、Ｍ個のセルのグループを前記Ｎ個のセルのセットから選択するよう構成された選択手段であって、前記選択されるセルは、不等式
【数２３】
0005413513.tif 000025
を満たすＭの最小値を与えるセルであり、βは第１の決定閾パラメータである、選択手段、
を有するシステム。
【請求項１１】
前記決定手段は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定する、
ことを特徴とする請求項１０に記載のシステム。
【請求項１２】
セルラ無線ネットワークの通信システムで用いられる装置であって、
当該装置は、前記セルラ無線ネットワークのサービング・セル内のユーザ機器又は中継局へのＭＩＭＯ（multiple-input/multiple-output）送信で用いられる１又は複数のセルを選択し、
セル選択が行われるべき前記セルラ・ネットワークのＮ個のセルのセットがあり、Ｎは１より大きい整数であり、該セットは前記サービング・セルを含み、
当該装置は、
前記サービング・セルの受信信号電力の値と、前記セット内の他のセルの前記サービング・セルに対する受信干渉電力の個々の値とを、電力Ｐの降順にP０≧P１≧…≧PN-１のように並べるソーティング手段、
前記並べられた電力を用い、Ｍ個のセルのグループを前記Ｎ個のセルのセットから選択するよう構成された選択手段であって、前記選択されるセルは、不等式
【数２４】
0005413513.tif 000026
を満たすＭの最小値を与えるセルであり、βは決定閾パラメータである、選択手段、
を有する装置。
【請求項１３】
セルラ無線ネットワークの通信システムで用いられる装置であって、
当該装置は、前記セルラ無線ネットワークのサービング・セル内のユーザ機器又は中継局へのＭＩＭＯ（multiple-input/multiple-output）送信で用いられる１又は複数のセルを選択し、
当該装置は、
送信に前記サービング・セルのみを用いるか又は前記セルラ・ネットワークのＮ個のセルのセットからの複数のセルを用いるかを決定するよう構成された決定手段であって、Ｎは１より大きい整数であり、該セットは前記サービング・セルを含む、選択手段、
前記決定が複数のセルを用いることである場合、前記サービング・セルの受信信号電力の値と、前記セット内の他のセルの前記サービング・セルに対する受信干渉電力の個々の値とを、電力Ｐの降順にP０≧P１≧…≧PN-１のように並べるよう構成されたソーティング手段、
前記並べられた電力を用い、Ｍ個のセルのグループを前記Ｎ個のセルのセットから選択するよう構成された選択手段であって、前記選択されるセルは、不等式
【数２５】
0005413513.tif 000027
を満たすＭの最小値を与えるセルであり、βは第１の決定閾パラメータである、選択手段、
を有する装置。
【請求項１４】
前記決定手段は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定する、
ことを特徴とする請求項１３に記載の装置。
【請求項１５】
前記ソーティング手段及び前記選択手段のうちの少なくとも１つは、前記サービング・セル内に置かれたユーザ機器に配置される、
ことを特徴とする請求項９乃至１１のいずれか一項に記載のシステム又は請求項１２乃至１４の何れか一項に記載の装置。
【請求項１６】
前記選択手段は前記ユーザ機器に配置され、
前記ユーザ機器は、前記サービング・セルの基地局に前記選択されたセルを受信電力の降順で知らせるよう構成される、
ことを特徴とする請求項１５に記載のシステム又は装置。
【請求項１７】
前記基地局は前記Ｍ個のセルのグループのうちの一部のみを送信のために用いる、
ことを特徴とする請求項１６に記載のシステム又は装置。
【請求項１８】
前記ソーティング手段及び前記選択手段のうちの少なくとも１つは、前記サービング・セルの基地局に配置される、
ことを特徴とする請求項９乃至１１のいずれか一項に記載のシステム又は請求項１２乃至１４の何れか一項に記載の装置。
【請求項１９】
前記選択手段は前記基地局に配置され、
前記サービング・セル内のユーザ機器は、前記基地局に、Ｎ個のセルの受信電力測定結果をフィードバックし、Ｎは、前記ユーザ機器が該測定結果を有するセルの数より少ないか又はそれに等しく、
前記選択手段は、Ｍ個のセルのグループの選択を、前記フィードバックされたＮ個のセルの受信電力測定結果を用いて実行する、
ことを特徴とする請求項１８に記載のシステム又は装置。
【請求項２０】
前記決定手段は、前記サービング・セル内に置かれたユーザ機器に又は前記サービング・セルの基地局に配置される、
ことを特徴とする請求項１０若しくは１１又は請求項１０若しくは１１に従属する請求項１５乃至１７のいずれか一項に記載のシステム、又は請求項１３若しくは１４又は請求項１３若しくは１４に従属する請求項１５乃至１７のいずれか一項に記載の装置。
【発明の詳細な説明】
【技術分野】
【０００１】
本発明は、セルラ無線ネットワーク、特に排他的ではないが３ＧＰＰ  ＬＴＥ−ＡネットワークにおけるＭＩＭＯ（multiple-input/multiple-output）送信のためのセル選択に関する。
【背景技術】
【０００２】
基地局が該基地局の範囲内にある複数の加入者局又はユーザと通信する無線通信システムは、広く知られている。１つの基地局によりカバーされる領域はセルと呼ばれ、標準的には多くの基地局は適切な場所に設けられ、広範な地理的領域を事実上、隣接セルとシームレスにカバーする。従来のこのようなセルラ無線ネットワークでは、各ユーザの機器（「ユーザ機器」又は「ＵＥ」）は、同時に１つの基地局によってのみサービスを供される。しかしながら、これは、セル端での高いセル間干渉のために、セル端のデータ・レート及びカバレッジを低くする。セル端干渉を低減するために、複数の基地局によりセルＵＥにサービスを供することは有利である。これは、「multi-cell  multiple-input/multiple-output」又は「マルチセルＭＩＭＯ」と称される。マルチセルＭＩＭＯを用いることにより、近隣セルからの有害な干渉は、有用な信号に変えられうる。それにより、セル端スループット及びカバレッジを向上しうる。
【０００３】
マルチセルＭＩＭＯ送信を実行している間、基地局間のバックボーン接続で更なるデータ交換が必要である。さらに、ＵＥは、該ＵＥへ送信している複数のセルに関する測定結果をサービング基地局にフィードバックする必要がある。したがって、ＵＥへ送信するセルの集合の決定は、セル選択と称され、性能向上と、バックボーン接続での増大するデータ交換及び無線インタフェースのシグナリング・オーバヘッドとを平衡させるために、注意深く実行される必要がある。
【０００４】
３ＧＰＰ  ＬＴＥ−Ａ通信スキームでは、マルチセルＭＩＭＯ送信は「多地点協調送信」又は「ＣｏＭＰ」と称される。文書３GPP  TR  ３６.８１４「Further  Advancements  for  E-UTRA  Physical  Layer  Aspects  (Release９)」、V１.０.０、２００９-０２-２６は、３ＧＰＰ  ＣｏＭＰスキーム、「Coordinated  scheduling  and/or  beamforming」及び「Joint  Processing  Transmission」と称されるものの基本理念を議論している。前者の例では、１つのセルのみが用いられ、データを特定のＵＥへ送信し又は特定のＵＥから受信する。後者の例では、複数のセルが用いられ、データを特定のＵＥへ送信し又は特定のＵＥから受信する。
【０００５】
図１は、セル選択の例を示す。図１では、セルＡ、Ｂ及びＣは活発にＵＥ（「ＣｏＭＰ送信地点」と称される）へ送信し、一方でセルＤはセルＡ、Ｂ及びＣにより用いられている送信間隔中は送信していない。セルＡ、Ｂ、Ｃ及びＤの集合は、「ＣｏＭＰ協調セット」と称される。マルチセルＭＩＭＯ送信がアクティブである間にリンク・アダプテーション及びスケジューリングを基地局で実行するために、ＵＥは、詳細なチャネル測定結果、例えばセルＡ、Ｂ及びＣのチャネル状態情報又は狭帯域信号対干渉及び雑音比（ＳＩＮＲ）を報告しなければならない。しかしながら、アップリンクのフィードバック資源を節約するために、マルチセルＭＩＭＯ送信を開始する前に、直接又は間接的に１又は複数のＵＥへの送信に参加するセル、したがって該セルに対する詳細な測定結果がマルチセルＭＩＭＯ動作中に必要とされる、セルを選択することは有利であろう。このような選択は、ＣｏＭＰ測定セット内のセルに対する単純な中乃至長期の測定を用いて行われてもよい。
【０００６】
ＣｏＭＰに関する３ＧＰＰ標準の寄稿R２-０９３９５９「Discussion  on  Some  Aspects  of  Signalling  for  CoMP  Operation」、Fujitsu、３GPP  TSG-RAN  WG２  #６６bis、June  ２９-July  ０３、２００９、LosAngeles、USA及びR２-０９３０７５「CoMP  Cell  Set  Configuration、Fujitsu  ３GPP  TSG-RAN  WG２  #６６、May  ０４-０８、２００９、San  Francisco、USAは、中乃至長期のレイヤ２又はレイヤ３測定、例えばＲＳＲＰ（Reference  Signal  Received  Power）が詳細なチャネル測定結果が必要とされるセルを決定するために用いられてもよいことを議論している。さらに、R２-０９３０７５「CoMP  Cell  Set  Configuration」Fujitsu  ３GPP  TSG-RAN  WG２  #６６、May  ０４-０８、２００９、San  Francisco、USAは、セル選択が特定の弱いリンクの特定セルへのドロップに基づきうることを提案している。R２-０９３０７５「CoMP  Cell  Set  Configuration」Fujitsu  ３GPP  TSG-RAN  WG２  #６６、May  ０４-０８、２００９、San  Francisco、USAでは、中乃至長期の測定結果がより適切であることを議論している。これは、頻繁なセル選択はサービング基地局（「evolved  Node-B」又は「eNB」として知られる）とＵＥとの間のシグナリング・オーバヘッドを増大させるためである。なぜなら、マルチセルＭＩＭＯ動作中に必要なレイヤ１のフィードバックは、再構成される必要があるからである。また、頻繁なセル選択は、ｅＮＢ間の協調に必要なＸ２インタフェースのシグナリングも増大させてしまう。
【０００７】
セル選択の問題は、R１-０９２８３３「Discussions  on  CoMP  Cooperating  Set」、CHTTL、３GPP  TSG-RAN  WG１  #５７bis、June  ２９-０３、２００９、Los  Angeles、USAで解決されている。該寄稿で提案された解決策は以下のステップに基づく。
（１）  ＲＳＲＰ測定結果をランク付けする。RSRP０≧RSRP１≧RSRP２≧…≧RSRPnである。ここで、ｎは候補であるセルの集合のセル数である。サービング・セルは最も大きい値を有する。
（２）  セルｉは、次式を満たす場合、ＵＥのＣｏＭＰ協調セットに追加される。
RSRP０−RSRP１≦γ    （１）
ここで、γは所定の閾である。
【０００８】
ＷＯ２００９０６１６６０は、ＵＥとの協調通信又は非協調通信のどちらかを実行するために中継局を選択する方法を議論している。中継局の選択は、閾値に基づき、基地局から中継局へ及び中継局からＵＥへのリンクの両方に適用される機能停止又はスループットの制約を用いる。
【０００９】
さらに、ＵＳ２００８２４７４７８は、基準中継局及び協調中継局を複数の中継局の中から選択する方法を開示している。中継局の選択は、ＵＥの位置情報及び平均ＣＱＩ情報に基づく。情報は、中継局から基地局へ検索要求メッセージを用いて送信される。
【発明の概要】
【発明が解決しようとする課題】
【００１０】
中乃至長期の測定結果に基づくセル選択の改善された方法を提供することが望ましい。
【課題を解決するための手段】
【００１１】
本発明の第１の態様の実施形態によると、セルラ無線ネットワークのサービング・セル内のユーザ機器又は中継局へのＭＩＭＯ（multiple-input/multiple-output）送信で用いられる１又は複数のセルを選択する方法が提供される。当該方法は、セル選択が行われるべき前記セルラ・ネットワークのＮ個のセルのセットがあり、Ｎは１より大きい整数であり、該セットは前記サービング・セルを含み、前記サービング・セルの受信信号電力と、前記セット内の他のセルの前記サービング・セルに対する受信干渉電力とは、電力Ｐの降順にP０≧P１≧…≧PN-１のように並べられ、Ｍ個のセルのグループは、前記Ｎ個のセルのセットから選択され、前記選択されるセルは、不等式
【数１】
0005413513.tif 000002
を満たすＭの最小値を与えるセルであり、βは決定閾パラメータである。
【００１２】
本発明の第２の態様の実施形態によると、セルラ無線ネットワークのサービング・セル内のユーザ機器又は中継局へのＭＩＭＯ（multiple-input/multiple-output）送信で用いられる１又は複数のセルを選択する方法が提供される。当該方法は、送信のために、前記サービング・セルのみを用いるか又は前記セルラ・ネットワークのＮ個のセルのセットからの複数のセルを用いるかに関する決定が行われ、Ｎは１より大きい整数であり、該セットは前記サービング・セルを含み、前記決定が複数のセルを用いることである場合、前記サービング・セルの受信信号電力と、前記セット内の他のセルの前記サービング・セルに対する受信干渉電力とは、電力Ｐの降順にP０≧P１≧…≧PN-１のように並べられ、Ｍ個のセルのグループは、前記Ｎ個のセルのセットから選択され、前記選択されるセルは、不等式
【数２】
0005413513.tif 000003
を満たすＭの最小値を与えるセルであり、βは第１の決定閾パラメータである。
【００１３】
本発明の第２の態様を具現化する方法では、前記送信のために、前記サービング・セルのみを用いるか又は前記セルラ・ネットワークのＮ個のセルのセットからの複数のセルを用いるかに関する決定は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定することにより行われてもよい。第２の決定閾パラメータαの値は、前記サービング・セル内の受信機に対する信号対干渉比（ＳＩＲ）が所望の目標値と等しいか又はこれより高いようにされてもよい。
【００１４】
本発明の第１又は第２の態様を具現化する方法は、少なくとも部分的に、前記サービング・セル内に置かれたユーザ機器で実行されてもよい。この場合、前記ユーザ機器は、前記Ｍ個のセルのグループの選択を実行し、サービング基地局に前記選択されたセルを受信電力の降順で知らせてもよい。サービング基地局は、Ｍ個のセルのグループの一部のみを送信のために用いてもよい。
【００１５】
代替として、本発明の第１又は第２の態様を具現化する方法は、少なくとも部分的に、前記サービング・セルの基地局で実行されてもよい。この場合、前記サービング・セル内のユーザ機器は、前記基地局に、Ｎ個のセルの受信電力測定結果をフィードバックしてもよく、Ｎは、前記ユーザ機器が該測定結果を有する前記ネットワークのセル数より少ないか又はそれに等しく、前記基地局は、Ｍ個のセルのグループの選択を、前記フィードバックされたＮ個のセルの受信電力測定結果を用いて実行してもよい。
【００１６】
本発明の第３の態様の実施形態によると、セルラ無線ネットワークの通信システムが提供される。当該システムは、前記セルラ無線ネットワークのサービング・セル内のユーザ機器又は中継局へのＭＩＭＯ（multiple-input/multiple-output）送信で用いられる１又は複数のセルを選択し、セル選択が行われるべき前記セルラ・ネットワークのＮ個のセルのセットがあり、Ｎは１より大きい整数であり、該セットは前記サービング・セルを含み、当該システムは、前記サービング・セルの受信信号電力の値と、前記セット内の他のセルの前記サービング・セルに対する受信干渉電力の個々の値とを、電力Ｐの降順にP０≧P１≧…≧PN-１のように並べるソーティング手段、前記並べられた電力を用い、Ｍ個のセルのグループを前記Ｎ個のセルのセットから選択するよう構成された選択手段であって、前記選択されるセルは、不等式
【数３】
0005413513.tif 000004
を満たすＭの最小値を与えるセルであり、βは決定閾パラメータである、選択手段、を有する。
【００１７】
本発明の第４の態様の実施形態によると、セルラ無線ネットワークの通信システムが提供される。当該システムは、前記セルラ無線ネットワークのサービング・セル内のユーザ機器又は中継局へのＭＩＭＯ（multiple-input/multiple-output）送信で用いられる１又は複数のセルを選択し、当該システムは、送信に前記サービング・セルのみを用いるか又は前記セルラ・ネットワークのＮ個のセルのセットからの複数のセルを用いるかを決定するよう構成された決定手段であって、Ｎは１より大きい整数であり、該セットは前記サービング・セルを含む、決定手段、前記決定が複数のセルを用いることである場合、前記サービング・セルの受信信号電力の値と、前記セット内の他のセルの前記サービング・セルに対する受信干渉電力の個々の値とを、電力Ｐの降順にP０≧P１≧…≧PN-１のように並べるよう構成されたソーティング手段、前記並べられた電力を用い、Ｍ個のセルのグループを前記Ｎ個のセルのセットから選択するよう構成された選択手段であって、前記選択されるセルは、不等式
【数４】
0005413513.tif 000005
を満たすＭの最小値を与えるセルであり、βは第１の決定閾パラメータである、選択手段、を有する。
【００１８】
本発明の第４の態様を具現化するシステムでは、前記決定手段は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定してもよい。第２の決定閾パラメータαの値は、前記サービング・セル内の受信機に対する信号対干渉比（ＳＩＲ）が所望の目標値と等しいか又はこれより高いようにされてもよい。
【００１９】
本発明の第５の態様の実施形態によると、セルラ無線ネットワークの通信システムで用いられる装置が提供される。当該装置は、前記セルラ無線ネットワークのサービング・セル内のユーザ機器又は中継局へのＭＩＭＯ（multiple-input/multiple-output）送信で用いられる１又は複数のセルを選択し、セル選択が行われるべき前記セルラ・ネットワークのＮ個のセルのセットがあり、Ｎは１より大きい整数であり、該セットは前記サービング・セルを含み、当該装置は、前記サービング・セルの受信信号電力の値と、前記セット内の他のセルの前記サービング・セルに対する受信干渉電力の個々の値とを、電力Ｐの降順にP０≧P１≧…≧PN-１のように並べるソーティング手段、前記並べられた電力を用い、Ｍ個のセルのグループを前記Ｎ個のセルのセットから選択するよう構成された選択手段であって、前記選択されるセルは、不等式
【数５】
0005413513.tif 000006
を満たすＭの最小値を与えるセルであり、βは決定閾パラメータである、選択手段、を有する。
【００２０】
本発明の第６の態様の実施形態によると、セルラ無線ネットワークの通信システムで用いられる装置が提供される。当該装置は、前記セルラ無線ネットワークのサービング・セル内のユーザ機器又は中継局へのＭＩＭＯ（multiple-input/multiple-output）送信で用いられる１又は複数のセルを選択し、当該装置は、送信に前記サービング・セルのみを用いるか又は前記セルラ・ネットワークのＮ個のセルのセットからの複数のセルを用いるかを決定するよう構成された決定手段であって、Ｎは１より大きい整数であり、該セットは前記サービング・セルを含む、選択手段、前記決定が複数のセルを用いることである場合、前記サービング・セルの受信信号電力の値と、前記セット内の他のセルの前記サービング・セルに対する受信干渉電力の個々の値とを、電力Ｐの降順にP０≧P１≧…≧PN-１のように並べるよう構成されたソーティング手段、前記並べられた電力を用い、Ｍ個のセルのグループを前記Ｎ個のセルのセットから選択するよう構成された選択手段であって、前記選択されるセルは、不等式
【数６】
0005413513.tif 000007
を満たすＭの最小値を与えるセルであり、βは第１の決定閾パラメータである、選択手段、を有する。
【００２１】
本発明の第６の態様を具現化する装置では、前記送信のために、前記サービング・セルのみを用いるか又は前記セルラ・ネットワークのＮ個のセルのセットからの複数のセルを用いるかに関する決定は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定することにより行われてもよい。
【００２２】
本発明の第３若しくは第４の態様を具現化するシステム又は本発明の第５若しくは第６の態様を具現化する装置では、前記ソーティング手段及び前記決定手段のうちの少なくとも１つは、前記サービング・セル内に置かれたユーザ機器に配置されてもよい。前記選択手段が前記ユーザ機器に配置されるとき、前記ユーザ機器は、前記サービング・セルの基地局に前記選択されたセルを受信電力の降順で知らせるよう構成されてもよい。前記基地局は、Ｍ個のセルのグループの一部のみを送信のために用いてもよい。
【００２３】
代替として、本発明の第３若しくは第４の態様を具現化するシステム又は本発明の第５若しくは第６の態様を具現化する装置では、前記ソーティング手段及び前記決定手段のうちの少なくとも１つは、前記サービング・セルの基地局に配置される。前記選択手段が前記基地局に配置されるとき、前記サービング・セル内のユーザ機器は、前記基地局に、Ｎ個のセルの受信電力測定結果をフィードバックし、Ｎは、前記ユーザ機器が該測定結果を有するセルの数より少ないか又はそれに等しく、前記選択手段は、Ｍ個のセルのグループの選択を、前記フィードバックされたＮ個のセルの受信電力測定結果を用いて実行する。
【００２４】
本発明の第４の態様を具現化するシステム又は本発明の第６の態様を具現化する装置では、前記決定手段は、前記サービング・セル内に置かれたユーザ機器又は前記サービング・セルの基地局に配置されてもよい。
【００２５】
本発明の第７の態様の実施形態によると、コンピュータ・プログラムが提供される。当該コンピュータ・プログラムは、セルラ無線ネットワークの通信システムで実行されると、前記セルラ無線ネットワークのサービング・セル内のユーザ機器又は中継局へのＭＩＭＯ（multiple-input/multiple-output）送信で用いられる１又は複数のセルを選択する方法を実行し、セル選択が行われるべき前記セルラ・ネットワークのＮ個のセルのセットがあり、Ｎは１より大きい整数であり、該セットは前記サービング・セルを含み、前記サービング・セルの受信信号電力と、前記セット内の他のセルの前記サービング・セルに対する受信干渉電力とは、電力Ｐの降順にP０≧P１≧…≧PN-１のように並べられ、Ｍ個のセルのグループは、前記Ｎ個のセルのセットから選択され、前記選択されるセルは、不等式
【数７】
0005413513.tif 000008
を満たすＭの最小値を与えるセルであり、βは決定閾パラメータである。
【００２６】
本発明の第８の態様の実施形態によると、コンピュータ・プログラムが提供される。当該コンピュータ・プログラムは、セルラ無線ネットワークの通信システムで実行されると、前記セルラ無線ネットワークのサービング・セル内のユーザ機器又は中継局へのＭＩＭＯ（multiple-input/multiple-output）送信で用いられる１又は複数のセルを選択する方法を実行し、送信のために、前記サービング・セルのみを用いるか又は前記セルラ・ネットワークのＮ個のセルのセットからの複数のセルを用いるかに関する決定が行われ、Ｎは１より大きい整数であり、該セットは前記サービング・セルを含み、前記決定が複数のセルを用いることである場合、前記サービング・セルの受信信号電力と、前記セット内の他のセルの前記サービング・セルに対する受信干渉電力とは、電力Ｐの降順にP０≧P１≧…≧PN-１のように並べられ、Ｍ個のセルのグループは、前記Ｎ個のセルのセットから選択され、前記選択されるセルは、不等式
【数８】
0005413513.tif 000009
を満たすＭの最小値を与えるセルであり、βは第１の決定閾パラメータである。
【００２７】
本発明の第９の態様の実施形態によると、ソフトウェアが提供される。当該ソフトウェアは、セルラ無線ネットワークの通信システム内の装置のプロセッサにより実行されると、該装置に、前述の本発明の第１又は第２の態様による方法を実行させる。
【００２８】
本発明の第１０の態様の実施形態によると、ソフトウェアが提供される。当該ソフトウェアは、セルラ無線ネットワークの通信システム内の装置のプロセッサにより実行されると、該装置に、前述の本発明の第５又は第６の態様による装置になるようにさせる。
【００２９】
本発明の実施形態では、前記決定閾パラメータβは、前記選択されたＭ個のセルを用いたマルチセルＭＩＭＯ送信に、所望の信号対干渉比（ＳＩＲ）を達成させる値を有してもよい。決定閾パラメータβは、サービング・セルで局所的に、又は中央ネットワーク構成要素により集中的に、又は複数のセルの基地局間での交渉により決定されてもよい。
【００３０】
本発明の実施形態では、受信電力は基準信号受信電力（ＲＳＲＰ）であってもよい。
【００３１】
本発明の実施形態では、前記セルラ無線ネットワークは３ＧＰＰネットワークであってもよく、この場合には、前記Ｎ個のセルのセットは、前記サービング・セルについての多地点協調送信（ＣｏＭＰ）測定セットであってもよい。
【００３２】
本発明の実施形態は、したがって、改善されたセル選択方法、並びに該方法を用いた通信システム及び装置を提供する。
【００３３】
例として、添付の図面を参照する。
【図面の簡単な説明】
【００３４】
【図１】（上述の）３ＧＰＰ  ＬＴＥ−ＡのマルチセルＭＩＭＯセルのセットを示す。
【図２】本発明を具現化する方法のステップを示すフローチャートである。
【図３】本発明を具現化する別の方法のステップを示すフローチャートである。
【図４】本発明を具現化する方法を従前に提案されている方法の結果を比較するのに用いるグラフである。
【図５】本発明を具現化する方法を従前に提案されている方法の結果を比較するのに用いるグラフである。
【発明を実施するための形態】
【００３５】
本発明を具現化する方法は、３ＧＰＰ  ＬＴＥ−Ａネットワークだけでなく、幾つかの異なるセルラ無線ネットワークに適用できる。本発明を具現化する方法は、直接又は間接的に特定のＵＥへの送信に参加するセル又は複数のセル、したがって該セルに対して詳細なチャネル測定結果が送信中に必要であるセルを選択する。これらのセルが選択された後、ＵＥは、詳細なチャネル測定結果、例えば送信がアクティブな間のチャネル状態情報又は選択されたセルに対する狭帯域信号対干渉及び雑音比（ＳＩＮＲ）をフィードバックしなければならない。任意の予備的なステップで、本発明の一実施形態では、選択は、送信モードがマルチセルＭＩＭＯか単一セル送信かに関して行われる。セル選択は、ユーザ機器（ＵＥ）で実行されうる。この場合には、ＵＥはサービング基地局に自身の選択したセルを通知する。代替として、セル選択はサービング・セルの基地局で、ＵＥからフィードバックされた測定結果に基づき行われうる。
【００３６】
図２は、ユーザ機器（ＵＥ）により実行されたときの、本発明を具現化する方法のステップを示す。図３は、サービング・セルの基地局により実行されたときの、本発明を具現化する方法のステップを示す。
【００３７】
図２の方法のステップ１０１で、特定の決定閾パラメータの値α及びβは、ＵＥによりサービング・セルの基地局から受信される。図３の方法のステップ２０１で、これらの特定の決定閾パラメータの値α及びβは、サービング基地局により決定されるか、又は中央ネットワーク要素から受信される。図２の方法のステップ１０２で、ＵＥは、サービング・セルに隣接する（Ｎ−１）個のセルの受信干渉電力を測定する。図３の方法のステップ２０２で、サービング基地局はＵＥから、Ｎ個のセル（サービング・セル及び該サービング・セルに隣接する（Ｎ−１）個のセル）の受信電力の測定結果及び該セルのセルＩＤを受信する。
【００３８】
任意の予備的なステップ、つまり図２のステップ１０３及び図３のステップ２０３で、方法は、マルチセルＭＩＭＯ送信モードと単一セル送信モードのどちらがより有益かを評価する。これは、サービング・セルからの受信信号電力の近隣セルからの受信干渉電力に対する比Ｒを、決定閾パラメータαと比較することにより行われる。ここで、Ｒは次式により与えられる。
【数９】
0005413513.tif 000010
Ｐ０は単一セル送信モードにおけるサービング・セルからの受信電力であり、Ｐｉは近隣セルｉからの受信電力であり、Ｎは起こり得るマルチセルＭＩＭＯ送信について検討される総セル数であり、αはステップ１０１／２０１で受信／決定された決定閾パラメータである。比Ｒは、見込みＳＩＲ（信号対干渉、signal-to-interference）利得に関連する。見込みＳＩＲは、マルチセルＭＩＭＯ送信モードを単一セル送信モードの代わりに用いることにより得ることができる。低い値のＲは、マルチセルＭＩＭＯ送信が有意にＳＩＲを改善することを示す。これは、大きい干渉電力の一部が有用な信号電力になりうるからである。したがって、Ｒ≦αの場合、マルチセルＭＩＭＯ送信が用いられる。反対に、高い値のＲは、マルチセルＭＩＭＯ送信が有益でないことを示す。これは、小さい干渉電力の一部を有用な信号電力に変換することが、ＳＩＲの小さな改善しかもたらさないからである。したがって、Ｒ＞αの場合、単一セル送信が用いられる。この任意の予備的なステップは、マルチセルＭＩＭＯの使用に関して厳しい制御が必要な場合に有用である。例えば、マルチセルＭＩＭＯの使用は、小さい値をαに対して選択することにより、低ＳＩＮＲユーザに制限されうる。
【００３９】
ステップ１０３／２０３で、Ｒ＞αである場合、単一セル送信が、ステップ１０４／２０４でＵＥへの送信のために選択される。しかしながら、Ｒ≦αの場合、マルチセルＭＩＭＯ送信モードがステップ１０５／２０５で選択される。次に、ステップ１０６／２０６で、直接又は間接的にマルチセルＭＩＭＯ送信に参加するセルの数が決定される。留意すべき点は、任意の予備的なステップ１０３／２０３が用いられない場合、ステップ１０６／２０６で選択されたセルの数は、１つのセル又は複数のセルのどちらかを選択することにより、単一セル対マルチセルＭＩＭＯ送信モードの決定を暗に含んでいる。
【００４０】
ステップ１０６／２０６で、セルの数は、合計電力の制約に基づき選択される。より詳細には、セルの数は、全ての見込みマルチセルＭＩＭＯ送信セルからの総受信電力の特定の比が、選択されたセルがマルチセルＭＩＭＯ送信に参加するときに、ＵＥによりキャプチャされるように選択される。先ず、起こり得るマルチセルＭＩＭＯ送信のために検討されるＮ個のセル全てからの受信電力は、降順、つまりP０≧P１≧…≧PN-１のように並べられる。次に、選択されたセルの数Ｍ＝∈｛１，２，．．．，Ｎ｝は、次の不等式が真である最も小さい値のＭとして見付けられる。
【数１０】
0005413513.tif 000011
【００４１】
本実施形態では、決定閾パラメータβの値は、マルチセルＭＩＭＯ動作に対して所定の目標ＳＩＲが得られるように選択される。しかしながら、決定閾パラメータβは、目標ＳＩＲに関連する特定の他の基準、例えばスループット、待ち時間又はジッタ等を間接的に満たすように選択されてもよい。
【００４２】
最後に、ステップ１０７／２０７で、ユーザ機器はサービング基地局に推奨される数及びＵＥへの送信に用いられるべきＭ個のセルの識別を通知する。またはサービング基地局がこれらに気付く。
【００４３】
図２を参照して記載された方法によると、セル選択はＵＥで実行される。この場合、サービング・セルは、セル選択を実行するために、ＵＥに予め２つのパラメータα及びβを送信する。これらのパラメータは式（２）及び（３）でそれぞれ用いられる。次に、ＵＥはサービング・セルに自身のセル選択決定を通知する。該セル選択決定は、選択されたセルのセルＩＤを、受信電力の降順で有する。代替として、図３を参照して記載された方法によると、セル選択は、サービング・セルの基地局で、ＵＥからフィードバックされた、起こり得るＭＩＭＯ送信のために検討されるＮ個のセルの受信電力Ｐｉ及びセルＩＤを用いて実行される。
【００４４】
さらに、２つのセル選択手法を混合したものも可能である。図２の方法の可能な変更は、基地局がＵＥにより選択されたセルを更に選択しうることである。図３の方法の可能な変更は、ＵＥから受信が基地局に、Ｎ個のセルの受信電力測定結果とセルＩＤを報告することである。ここで、Ｎは、ＵＥが該測定結果を有するネットワークのセル数より少ないか又はそれに等しい。そして、基地局は、Ｍ個のセルのグループの選択を、フィードバックされたＮ個のセルの受信電力測定結果及びセルＩＤを用いて実行する。例えば、ＵＥは、測定セット（ＵＥが測定結果を有するセルの集合）中の、閾と比べて弱い受信電力を有する特定のセルを放棄し、ＵＥは、基地局へ、受信電力が該閾と比べて強いＮ個のセルの測定結果及びセルＩＤのみを送信する。
【００４５】
決定閾パラメータα及びβは、幾つかの異なる方法のうちの１つで、例えばサービング・セルで局所的に又は中央ネットワーク要素により集中型の方法で、決定されてもよい。別の可能性は、これらのパラメータが複数のサービング・セルの間の交渉により決定されることである。
【００４６】
ＬＴＥ−Ａでは、ＲＳＲＰ測定結果（例えば、「３GPPTS３６.２１４:Evolved  Universal  Terrestrial  Radio  Access  (E-UTRA);  Physical  layer-measurements」を参照）は、受信電力Ｐｉとして用いられうる。ＲＳＲＰは、基準信号から得られる長期の広帯域受信信号電力測定結果である。起こり得るＭＩＭＯ送信のために検討されるセルの数Ｎは、図１に示されたＣｏＭＰ測定セットに対応しうる。
【００４７】
より一般的には（必ずしもＬＴＥ−Ａではなく）、代替の受信電力測定結果は、例えばパイロット測定結果、プリアンブル測定結果又はミッドアンブル測定結果でありうる。
【００４８】
要約すると、したがって、本発明を具現化する１つの方法では、セル選択基準は、直接に、マルチセルＭＩＭＯ動作のための目標ＳＩＲにリンク付けされる。これは従来技術にはない。特に、任意の予備的なステップで、単一セルの場合のＳＩＲが評価される。ここで、ＳＩＲは、全ての候補であるマルチセルＭＩＭＯのセルを検討することにより得られる。その後、該ＳＩＲが閾より低い場合、セル選択は合計電力の制約に基づき実行される。
【００４９】
提案されたセル選択方法は、モンテカルロ・シミュレーションを用いて評価された。特に、結果として生じたＳＩＲ及び選択されたセルの数における提案された方法のスループットは、R１-０９２８３３「Discussions  on  CoMP  Cooperating  Set」、CHTTL、３GPP  TSG-RAN  WG１  #５７bis、June  ２９-０３、２００９、Los  Angeles、USAに開示された既存の方法のスループットと比較された。測定セット（図１を参照）中のセルの各ＵＥから受信の受信電力値をシミュレートするために、１セル当たり３セクタの１９個のセルを有する測定セットが検討された。該測定セットは合計で５７個のセクタに相当する。各セルは半径２８８ｍの六角形であり、２つの隣接するセルの中心間の距離は５００ｍであり、セルの配置はラップアラウンド型である。各セクタからの受信電力は、大規模経路損失、シャドウイング、送信機アンテナ利得及び建物侵入損を考慮することにより生成された。したがって、該受信電力は、小規模フェージングを有する瞬間受信電力ではなく、各セクタからの長期間の平均受信電力を表すことができる。採用された経路損失モデルはＬｉ，ｋ＝１２８．１＋３７．６ｌｏｇ１０（ｄｉ，ｋ）である。ｄｉ，ｋはｉ番目のＵＥからｋ番目のセクタ内の送信機までの距離であり、単位はｋｍである。シャドウイングは、標準偏差８ｄＢの対数正規分布を有する。建物侵入損は、２０ｄＢに設定された。送信機のアンテナ利得は１４ｄＢｉであり、ＮＲ＝ＮＴ＝１、ＮＲ及びＮＴはＵＥ及び各セクタの送信機それぞれにおけるアンテナ数を表す。したがって、i番目のＵＥについて、ｋ番目のセクタからの受信電力は次式のように生成される。
【数１１】
0005413513.tif 000012
ここで、
【数１２】
0005413513.tif 000013
はｋ番目のセクタからｉ番目のＵＥへの送信電力を表し、シミュレーションでは４６ｄＢｍ（３９．８Ｗ）に設定された。ＧＴＸ（θ）は送信機アンテナ利得をｄＢで表したものである。ｓｉ，ｋはｉ番目のＵＥのｋ番目のセクタに対するシャドウイング係数である。εｐｅｎｅｔｒａｔｉｏｎは建物侵入損をｄＢで表したものである。式（４）を用いた計算の後、ｉ番目のＵＥのｋ番目のセクタからの受信電力
【数１３】
0005413513.tif 000014
は単位ワットで得られる。
【００５０】
ＵＥは測定セットの領域全体に一様に分布しており、各セクタは１２０個のＵＥを有し、中央のセルの３つのセクタ内に位置するＵＥの受信電力値のみが収集され、提案された方法を評価するために用いられた。測定セット全体に５７個のセクタが存在するが、各ＵＥについて、２１個の主な干渉セクタからの電力値のみが収集された。２１個の異なるセクタからのｉ番目のＵＥの受信電力値を格納するために行ベクトルＤｉ（１×２１ベクトル）を用い、本発明を具現化する提案されたセル選択方法及びR１-０９２８３３「Discussions  on  CoMP  Cooperating  Set」、CHTTL、３GPP  TSG-RAN  WG１  #５７bis、June  ２９-０３、２００９、Los  Angeles、USAから知られている方法は、各ＵＥのデータＤｉに別個に適用されてセル選択処理を実行した。以降、用語「セル」は個々のセクタを表すために用いられることに留意する。
【００５１】
本発明を具現化する方法では、各ＵＥが式（２）を用いて、マルチセルＭＩＭＯ送信モードを用いる価値があるか否かを判断することは任意である。式（２）により与えられる任意の予備的なステップが省略される場合、不等式（３）に基づく計算を直接用いて、セル選択処理を実行できる。それにより、送信モードは自動的に決定できる。不等式（３）に従ってセルを選択するために、Ｄｉに集められた電力値は降順にランク付けされ、次にマルチセルＭＩＭＯ送信で直接又は間接的に参加するセルが決定された。シミュレーションでは、（２）のαの値は４に設定され、（３）のβの値は８０％に設定された。これは、マルチセルＭＩＭＯ送信を用いることによる目標の見込み線形ＳＩＲが４（６ｄＢ）であることを意味する。この場合、任意の予備的なステップを用いることによるシミュレーション結果は、それを用いない場合と同一だった。したがって、以下では、任意の予備的なステップが用いられなかったときのシミュレーション結果のみを示す。
【００５２】
以前に提案されているR１-０９２８３３「Discussions  on  CoMP  Cooperating  Set」、CHTTL、３GPP  TSG-RAN  WG１  #５７bis、June  ２９-０３、２００９、Los  Angeles、USAの方法を各ＵＥに用い、Ｄｉに実行される処理は、該文書のSection  ２に記載されているように、比較的強い送信電力を有するセルを選択する。シミュレーションでは、式（１）中の所定の閾γの値は９ｄＢに設定された。一般的にγはどんな値としても予め定めることができるが、ここでは９ｄＢが用いられ、結果として生じるＳＩＲに関して公平に性能比較をするために、既存の方法で本発明を具現化する方法と同様の平均選択セル数を得る。
【００５３】
図４は、２つの異なるセル選択方法を用いることにより結果として生じた見込みＳＩＲに関する性能比較を示す。２つの方法は、それぞれ各検討されたＵＥのデータに適用され、個々のセル選択要件を満たしうるセルを選択した。次に、両方の方法について、結果として生じた見込みＳＩＲが、既に選択されたセルの総電力と未選択セルの総電力との間の比として計算された。図４では、結果として生じたＳＩＲの累積分布関数（ＣＤＦ）が描かれている。破線は、以前に提案された方法を用いたときのＣＤＦを表す。実線は、本発明を具現化する方法を用いたことによるＣＤＦを示す。
【００５４】
各方法で、平均選択セル数は、平均が全ての検討されたＵＥの集まりに対して取られたときに記録された。平均選択セル数の値は表１に示される。
【００５５】
表１：選択セル数の比較
【表１】
0005413513.tif 000015
【００５６】
表１から、２つの方法は平均で同様の数のセルを選択していることが分かる。これは、結果として生じた見込みＳＩＲの観点から、性能比較のための比較的公平な足掛かりを提供しうる。さらに、特定のセル数の可能性に関する比較は図５に示される。図５は、既存の方法が、目標見込みＳＩＲをセル選択の原則として用いないので、単一のセルだけを選択する可能性が高いことを示す。
【００５７】
図４のＣＤＦは、本発明を具現化する方法が他の方法より低いＳＩＲの領域で性能が優れていることを示す。この領域は、ＵＥが高い干渉に苦しんでいて、場合によっては干渉レベルを低下させるためにマルチセルＭＩＭＯ送信を必要とする領域である。これは、マルチセルＭＩＭＯ送信モードが最初に検討された理由でもある。本発明を具現化する方法は目標見込みＳＩＲを目指すので、結果として生じた見込みＳＩＲに対して更なる制御を有する。したがって、この低いＳＩＲ領域は、本発明を具現化する方法を用いることにより回避されうる。さらに、表１に与えられた２つの方法についての選択セル数の変化から、以前に提案された方法は中間のＳＩＲ領域でより良い性能を有するが、本発明を具現化する方法の方が選択セル数の変化が少ない。これは、基地局のスケジューリングの複雑性を低減するのを助ける可能性がある。
【００５８】
実際の実装では、最大選択セル数は、少数に、例えば６より少なく制約される可能性がある。しかしながら、上述の性能向上は、このような制限により有意に低下してしまう可能性は低い。
【００５９】
本発明の実施形態は、ハードウェア、１若しくは複数のプロセッサで動作するソフトウェア・モジュールとして又はそれらの組合せで実施されてもよい。つまり、当業者は、マイクロプロセッサ又はデジタル・シグナル・プロセッサ（ＤＳＰ）が実際には用いられて、上述の機能の一部又は全部を実施してもよいことを理解するだろう。
【００６０】
本発明は、１又は複数の装置若しくは機器の、本願明細書に記載された方法の一部又は全部を実行するプログラム（例えば、コンピュータ・プログラム及びコンピュータ・プログラム・プロダクト）として具現化されてもよい。このような本発明を具現化するプログラムは、コンピュータ可読媒体又はクラウドに、例えば１又は複数の信号の形式で格納されてもよい。このような信号は、インターネット・ウェブサイトからダウンロード可能なデータ信号であってもよく、又はキャリア信号で若しくはどんな他の形式で提供されてもよい。
【００６１】
以上の実施形態に関し、更に以下の付記を開示する。
（付記１）  セルラ無線ネットワークのサービング・セル内のユーザ機器又は中継局へのＭＩＭＯ（multiple-input/multiple-output）送信で用いられる１又は複数のセルを選択する方法であって、
セル選択が行われるべき前記セルラ・ネットワークのＮ個のセルのセットがあり、Ｎは１より大きい整数であり、該セットは前記サービング・セルを含み、
前記サービング・セルの受信信号電力と、前記セット内の他のセルの前記サービング・セルに対する受信干渉電力とは、電力Ｐの降順にP０≧P１≧…≧PN-１のように並べられ、
Ｍ個のセルのグループは、前記Ｎ個のセルのセットから選択され、
前記選択されるセルは、不等式
【数１４】
0005413513.tif 000016
を満たすＭの最小値を与えるセルであり、βは決定閾パラメータである、
ことを特徴とする方法。
（付記２）  セルラ無線ネットワークのサービング・セル内のユーザ機器又は中継局へのＭＩＭＯ（multiple-input/multiple-output）送信で用いられる１又は複数のセルを選択する方法であって、
送信のために、前記サービング・セルのみを用いるか又は前記セルラ・ネットワークのＮ個のセルのセットからの複数のセルを用いるかに関する決定が行われ、Ｎは１より大きい整数であり、該セットは前記サービング・セルを含み、
前記決定が複数のセルを用いることである場合、
前記サービング・セルの受信信号電力と、前記セット内の他のセルの前記サービング・セルに対する受信干渉電力とは、電力Ｐの降順にP０≧P１≧…≧PN-１のように並べられ、
Ｍ個のセルのグループは、前記Ｎ個のセルのセットから選択され、
前記選択されるセルは、不等式
【数１５】
0005413513.tif 000017
を満たすＭの最小値を与えるセルであり、βは第１の決定閾パラメータである、
ことを特徴とする方法。
（付記３）  前記送信のために、前記サービング・セルのみを用いるか又は前記セルラ・ネットワークのＮ個のセルのセットからの複数のセルを用いるかに関する決定は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定することにより行われる、
ことを特徴とする付記２に記載の方法。
（付記４）  少なくとも部分的に、前記サービング・セル内に置かれたユーザ機器で実行される、
ことを特徴とする付記１乃至３のいずれか一項に記載の方法。
（付記５）  前記ユーザ機器は、前記Ｍ個のセルのグループの選択を実行し、サービング基地局に前記選択されたセルを受信電力の降順で知らせる、
ことを特徴とする付記４に記載の方法。
（付記６）  前記サービング基地局は前記Ｍ個のセルのグループのうちの一部のみを送信のために用いる、
ことを特徴とする付記４又は５に記載の方法。
（付記７）  少なくとも部分的に、前記サービング・セルの基地局で実行される、
ことを特徴とする付記１乃至３のいずれか一項に記載の方法。
（付記８）  前記サービング・セル内のユーザ機器は、前記基地局に、Ｎ個のセルの受信電力測定結果をフィードバックし、Ｎは、前記ユーザ機器が該測定結果を有する前記ネットワークのセルの数より少ないか又はそれに等しく、
前記基地局は、Ｍ個のセルのグループの選択を、前記フィードバックされたＮ個のセルの受信電力測定結果を用いて実行する、
ことを特徴とする付記７に記載の方法。
（付記９）  セルラ無線ネットワークの通信システムであって、
当該システムは、前記セルラ無線ネットワークのサービング・セル内のユーザ機器又は中継局へのＭＩＭＯ（multiple-input/multiple-output）送信で用いられる１又は複数のセルを選択し、
セル選択が行われるべき前記セルラ・ネットワークのＮ個のセルのセットがあり、Ｎは１より大きい整数であり、該セットは前記サービング・セルを含み、
当該システムは、
前記サービング・セルの受信信号電力の値と、前記セット内の他のセルの前記サービング・セルに対する受信干渉電力の個々の値とを、電力Ｐの降順にP０≧P１≧…≧PN-１のように並べるソーティング手段、
前記並べられた電力を用い、Ｍ個のセルのグループを前記Ｎ個のセルのセットから選択するよう構成された選択手段であって、前記選択されるセルは、不等式
【数１６】
0005413513.tif 000018
を満たすＭの最小値を与えるセルであり、βは決定閾パラメータである、選択手段、
を有するシステム。
（付記１０）  セルラ無線ネットワークの通信システムであって、
当該システムは、前記セルラ無線ネットワークのサービング・セル内のユーザ機器又は中継局へのＭＩＭＯ（multiple-input/multiple-output）送信で用いられる１又は複数のセルを選択し、
当該システムは、
送信に前記サービング・セルのみを用いるか又は前記セルラ・ネットワークのＮ個のセルのセットからの複数のセルを用いるかを決定するよう構成された決定手段であって、Ｎは１より大きい整数であり、該セットは前記サービング・セルを含む、決定手段、
前記決定が複数のセルを用いることである場合、前記サービング・セルの受信信号電力の値と、前記セット内の他のセルの前記サービング・セルに対する受信干渉電力の個々の値とを、電力Ｐの降順にP０≧P１≧…≧PN-１のように並べるよう構成されたソーティング手段、
前記並べられた電力を用い、Ｍ個のセルのグループを前記Ｎ個のセルのセットから選択するよう構成された選択手段であって、前記選択されるセルは、不等式
【数１７】
0005413513.tif 000019
を満たすＭの最小値を与えるセルであり、βは第１の決定閾パラメータである、選択手段、
を有するシステム。
（付記１１）  前記決定手段は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定する、
ことを特徴とする付記１０に記載のシステム。
（付記１２）  セルラ無線ネットワークの通信システムで用いられる装置であって、
当該装置は、前記セルラ無線ネットワークのサービング・セル内のユーザ機器又は中継局へのＭＩＭＯ（multiple-input/multiple-output）送信で用いられる１又は複数のセルを選択し、
セル選択が行われるべき前記セルラ・ネットワークのＮ個のセルのセットがあり、Ｎは１より大きい整数であり、該セットは前記サービング・セルを含み、
当該装置は、
前記サービング・セルの受信信号電力の値と、前記セット内の他のセルの前記サービング・セルに対する受信干渉電力の個々の値とを、電力Ｐの降順にP０≧P１≧…≧PN-１のように並べるソーティング手段、
前記並べられた電力を用い、Ｍ個のセルのグループを前記Ｎ個のセルのセットから選択するよう構成された選択手段であって、前記選択されるセルは、不等式
【数１８】
0005413513.tif 000020
を満たすＭの最小値を与えるセルであり、βは決定閾パラメータである、選択手段、
を有する装置。
（付記１３）  セルラ無線ネットワークの通信システムで用いられる装置であって、
当該装置は、前記セルラ無線ネットワークのサービング・セル内のユーザ機器又は中継局へのＭＩＭＯ（multiple-input/multiple-output）送信で用いられる１又は複数のセルを選択し、
当該装置は、
送信に前記サービング・セルのみを用いるか又は前記セルラ・ネットワークのＮ個のセルのセットからの複数のセルを用いるかを決定するよう構成された決定手段であって、Ｎは１より大きい整数であり、該セットは前記サービング・セルを含む、選択手段、
前記決定が複数のセルを用いることである場合、前記サービング・セルの受信信号電力の値と、前記セット内の他のセルの前記サービング・セルに対する受信干渉電力の個々の値とを、電力Ｐの降順にP０≧P１≧…≧PN-１のように並べるよう構成されたソーティング手段、
前記並べられた電力を用い、Ｍ個のセルのグループを前記Ｎ個のセルのセットから選択するよう構成された選択手段であって、前記選択されるセルは、不等式
【数１９】
0005413513.tif 000021
を満たすＭの最小値を与えるセルであり、βは第１の決定閾パラメータである、選択手段、
を有する装置。
（付記１４）  前記決定手段は、前記サービング・セルからの受信信号電力の、前記Ｎ個のセルのセット内の全ての他のセルの受信干渉電力の和に対する比Ｒを、第２の決定閾パラメータαと比較し、Ｒ＞αの場合には送信のために前記サービング・セルのみを用い、Ｒ≦αの場合には送信のために複数のセルを用いると決定する、
ことを特徴とする付記１３に記載の装置。
（付記１５）  前記ソーティング手段及び前記選択手段のうちの少なくとも１つは、前記サービング・セル内に置かれたユーザ機器に配置される、
ことを特徴とする付記９乃至１１のいずれか一項に記載のシステム又は付記１２乃至１４の何れか一項に記載の装置。
（付記１６）  前記選択手段は前記ユーザ機器に配置され、
前記ユーザ機器は、前記サービング・セルの基地局に前記選択されたセルを受信電力の降順で知らせるよう構成される、
ことを特徴とする付記１５に記載のシステム又は装置。
（付記１７）  前記基地局は前記Ｍ個のセルのグループのうちの一部のみを送信のために用いる、
ことを特徴とする付記１６に記載のシステム又は装置。
（付記１８）  前記ソーティング手段及び前記選択手段のうちの少なくとも１つは、前記サービング・セルの基地局に配置される、
ことを特徴とする付記９乃至１１のいずれか一項に記載のシステム又は付記１２乃至１４の何れか一項に記載の装置。
（付記１９）  前記選択手段は前記基地局に配置され、
前記サービング・セル内のユーザ機器は、前記基地局に、Ｎ個のセルの受信電力測定結果をフィードバックし、Ｎは、前記ユーザ機器が該測定結果を有するセルの数より少ないか又はそれに等しく、
前記選択手段は、Ｍ個のセルのグループの選択を、前記フィードバックされたＮ個のセルの受信電力測定結果を用いて実行する、
ことを特徴とする付記１８に記載のシステム又は装置。
（付記２０）  前記決定手段は、前記サービング・セル内に置かれたユーザ機器に又は前記サービング・セルの基地局に配置される、
ことを特徴とする付記１０若しくは１１又は付記１０若しくは１１に従属する付記１５乃至１７のいずれか一項に記載のシステム、又は付記１３若しくは１４又は付記１３若しくは１４に従属する付記１５乃至１７のいずれか一項に記載の装置。
（付記２１）  前記第２の決定閾パラメータαの値は、前記サービング・セル内の受信機の信号対干渉比（ＳＩＲ）が所望の目標値に等しいか又はこれより高いようにされる、
ことを特徴とする付記３に記載の方法、付記１１に記載のシステム又は付記１４に記載の装置。
（付記２２）  前記決定閾パラメータβは、前記選択されたＭ個のセルを用いたマルチセルＭＩＭＯ送信に、所望の信号対干渉比（ＳＩＲ）を達成させる値を有する、
ことを特徴とする付記１乃至２１のいずれか一項に記載の方法、システム又は装置。
（付記２３）  前記決定閾パラメータβは、前記サービング・セルで局所的に決定される、
ことを特徴とする付記１乃至２２のいずれか一項に記載の方法、システム又は装置。
（付記２４）  前記決定閾パラメータβは、中央ネットワーク構成要素により集中的に決定される、
ことを特徴とする付記１乃至２３のいずれか一項に記載の方法、システム又は装置。
（付記２５）  前記決定閾パラメータβは、複数のセルの基地局の間の交渉により決定される、
ことを特徴とする付記１乃至２３のいずれか一項に記載の方法、システム又は装置。
（付記２６）  前記受信電力は、基準信号受信電力（ＲＳＲＰ）である、
ことを特徴とする付記１乃至２５のいずれか一項に記載の方法、システム又は装置。
（付記２７）  前記セルラ無線ネットワークは３ＧＰＰネットワークである、
ことを特徴とする付記１乃至２６のいずれか一項に記載の方法、システム又は装置。
（付記２８）  前記Ｎ個のセルのセットは、前記サービング・セルについての多地点協調送信（ＣｏＭＰ）測定セットである、
ことを特徴とする付記２７に記載の方法、システム又は装置。
【図１】
0005413513.tif 000028
【図２】
0005413513.tif 000029
【図３】
0005413513.tif 000030
【図４】
0005413513.tif 000031
【図５】
0005413513.tif 000032